(57)【要約】【課題】住戸内を間仕切る間仕切り壁内に、分電盤が収納できるだけでなく、備品収納スペースとしても利用できるなど、スペースを有効利用できる間仕切り壁構造を提供する。【解決手段】住戸内を第一の領域２側と第二の領域３側とに間仕切る間仕切り壁構造であって第一の領域２側には、分電盤６を収納可能な分電盤収納スペース５を設けるとともに、第二の領域３側には、備品収納スペース４を設け、それらの収納スペースを中間間仕切り７で区画している。【選択図】図１
2010255255.tif 000002
【特許請求の範囲】
【請求項１】
住戸内を第一の領域側と第二の領域側とに間仕切る間仕切り壁構造であって第一の領域側には、分電盤を収納可能な分電盤収納スペースを設けるとともに、第二の領域側には、備品収納スペースを設け、それらの収納スペースを中間間仕切りで区画していることを特徴とする間仕切り壁構造。
【請求項２】
請求項１に記載の間仕切り壁構造において、
前記分電盤収納スペースは、前記第一の領域側から開閉自在な扉を設けていることを特徴とする間仕切り壁構造。
【請求項３】
請求項１または請求項２に記載の間仕切り壁構造において、
前記備品収納スペースと前記分電盤収納スペースとを前記間仕切り壁の上部側に設けるとともに、その下部側の前記第一の領域側には、洗面台を設けており、
前記間仕切り壁の前記洗面台の後方に位置する余剰部に、前記第二の領域側からアクセス可能な第二の備品収納スペースを設けていることを特徴とする間仕切り壁構造。
【発明の詳細な説明】
【技術分野】
【０００１】
本発明は、住戸の領域を間仕切る間仕切り壁構造の改良に関する。
【背景技術】
【０００２】
マンション、戸建などの住戸において、最近は、居住者のライフスタイルやテイフステージに合わせて自由にキッチン室、洗面化粧室、バス室、トイレ室、その他の各領域を間仕切り壁構造で仕切って形成することができるようになってきている。
【０００３】
例えば、特許文献１には、出入口ドアを有する建具ユニットを備え、居住者が領域を希望する間取りに自由に区画することができるように構成した収納間仕切りユニットの技術が開示されている。
【０００４】
しかしながら、上述の特許文献１に開示された収納間仕切りユニットでは、壁厚全体にわたる奥行きの広い棚で収納スペースが設けられているので、例えば洗面室の備品棚のように、奥行きの狭い棚で十分な場合などは、棚が広過ぎて空間が余ってしまう。そのため、間仕切り壁のスペース効率が悪いという問題があった。
【先行技術文献】
【特許文献】
【０００５】
【特許文献１】特開平１１−１３７３４６
【発明の概要】
【発明が解決しようとする課題】
【０００６】
本発明は上記事情に鑑みてなされたものであり、住戸の領域を間仕切る間仕切り壁構造において、例えば洗面室の備品棚のような奥行きの狭い棚を設ける場合などでも空間が余ることがないなど、スペースを有効利用することができる間仕切り壁構造を提供することを目的としている。
【課題を解決するための手段】
【０００７】
上記目的を解決するために、請求項１に記載の間仕切り壁構造は、住戸内を第一の領域側と第二の領域側とに間仕切る間仕切り壁構造であって第一の領域側には、分電盤を収納可能な分電盤収納スペースを設けるとともに、第二の領域側には、備品収納スペースを設け、それらの収納スペースを中間間仕切りで区画していることを特徴とする。
【０００８】
また、請求項２に記載の間仕切り壁構造は、請求項１に記載の間仕切り壁構造において、前記分電盤収納スペースは、前記第一の領域側から開閉自在な扉を設けていることを特徴とする。
【０００９】
また、請求項３に記載の間仕切り壁構造は、請求項１または請求項２に記載の間仕切り壁構造において、前記備品収納スペースと前記分電盤収納スペースとを前記間仕切り壁の上部側に設けるとともに、その下部側の前記第一の領域側には、洗面台を設けており、前記間仕切り壁の前記洗面台の後方に位置する余剰部に、前記第二の領域側からアクセス可能な第二の備品収納スペースを設けていることを特徴とする。
【発明の効果】
【００１０】
請求項１に記載の間仕切り壁構造によれば、分電盤収納スペースとして利用できるだけでなく、分電盤収納スペースの反対側に位置する備品収納スペースは、中間間仕切りで区画されているので、例えば洗面室の備品棚のような奥行きの狭い棚空間として利用できる。
【００１１】
また、分電盤が間仕切り壁構造の内部に収納できるので、天井近くの高い位置に設ける従来の場合と比較して、アクセスし易く、操作性を向上させることができる。
【００１２】
このように、間仕切り壁構造は、分電盤収納スペースに分電盤を収納して有効利用できるだけでなく、備品収納スペースを、洗面台の奥行きの狭い棚を設けるなどして収納棚として利用できる。
【００１３】
請求項２に記載の間仕切り壁構造によれば、分電盤収納スペースに開閉自在な扉を有しているので、分電盤を露見させることがない。例えば住戸内の廊下側に扉を設けるなどすれば、分電盤へのアクセスも容易で、露見しないので、外観を良好にすることができる。
【００１４】
また、請求項３に記載の間仕切り壁構造によれば、施工が容易で余った部分を分電盤や備品の収納スペースとして有効利用できる洗面台ユニットとして新規な多機能住宅設備機器を提供できる。
【図面の簡単な説明】
【００１５】
【図１】本発明の実施形態の間仕切り壁構造の概略の構成を示す縦断面図である。
【図２】左右の固定壁を含めて示す図１のＡ−Ａに対応した概略の断面図である。
【図３】間仕切り壁構造の施工例を示す平面図である。
【発明を実施するための形態】
【００１６】
以下、添付図面を参照しながら本発明の好ましい実施の一形態について説明する。図１は、本発明の実施形態の間仕切り壁構造の概略の構成を示す縦断面図であり、図２は、図１のＡ−Ａ断面図である。また、図３は、間仕切り壁構造の施工例を示す平面図である。
【００１７】
図１〜図３に示すように、この間仕切り壁構造１は、住戸内を２つの領域すなわち第一の領域２の側と、第二の領域３の側とに間仕切るために施工されており、住戸空間を区画する固定壁１３（図２）と固定壁１４（図２）との間に配置されている。本実施形態では、住戸としてマンションを、また、第一の領域２として住戸の洗面室、第二の領域３として住戸の廊下スペースを想定し、第二の領域３から第一の領域２へは、ドア１６を開けてアクセスするように構成されている。
【００１８】
ここで、間仕切り壁構造１は、この備品収納スペース４の第二の領域３側に、第二の領域３側からアクセス可能に設けられ、住戸の分電盤６を収納可能な分電盤収納スペース５を備えており、分電盤６からは各種の配線６ａが天井１２の透孔から天井裏に通過させており、天井１２の上方を経て住戸に設けられた各電気設備(不図示)に延びている。
【００１９】
また、この間仕切り壁構造１は、間仕切り壁構造１の第一の領域２側に開口し、第一の領域２側からアクセス可能な備品収納スペース４と、床１１の上に設けられ、備品収納スペース４より低い位置に付設された第一の領域２側からアクセス可能な洗面台９とが固定壁１３に沿うように設けられている。また、備品収納スペース４には、歯ブラシやコップなどの備品を収納可能な奥行きの狭い棚４ｂが設けられており、洗面台９の上面には陶器や樹脂製の洗面シンク９ａが設けられている。
【００２０】
このように、備品収納スペース４と分電盤収納スペース５とは、間仕切り壁構造１の上部側に設けられており、その下部側の第一の領域２側に、洗面台９が設けられている。
【００２１】
また、これら備品収納スペース４と分電盤収納スペース５との間には、備品収納スペース４と分電盤収納スペース５とを間仕切る板状の中間間仕切り７が設けられ、これらの収納スペースを中間間仕切り７で区画している。また、間仕切り壁構造１の中央には仕切り板１５が設けられている。
【００２２】
そして、備品収納スペース４は、第一の領域２側から開閉自在な扉４ａを有しており、また、分電盤収納スペース５は、第二の領域３側から開閉自在な扉５ａを有している。
【００２３】
さらに、この間仕切り壁構造１の備品収納スペース４と分電盤収納スペース５の下方には、間仕切り壁構造１の洗面台９の後方に位置する余剰部に、備品収納スペース４の奥行きと分電盤収納スペース５の奥行きを合わせた奥行きの第二の備品収納スペース８を備えている。また、備品収納スペース４の固定壁１４側の側方には、備品収納スペース４の奥行きと分電盤収納スペース５の奥行きを合わせた奥行きの第三の備品収納スペース１０（図２）を備えている。
【００２４】
そして、第二の備品収納スペース８は、第二の領域３側から開閉自在な扉８ａと、棚８ｂとを有しており、第二の領域３側からアクセス可能に構成されている。
【００２５】
また、第三の備品収納スペース１０も、第二の領域２側から開閉自在な扉１０ａを有しており、第二の領域２側からアクセス可能に構成されている。
【００２６】
そして、これら備品収納スペース４と、分電盤収納スペース５と、第二の備品収納スペース８と、第三の備品収納スペース１０とは、施工を容易にすることを目的として洗面台９とともにユニット化されており、固定具(不図示)で床１１や固定壁１３、１４に固定されている。
【００２７】
以上説明したように、この間仕切り壁構造１によれば、分電盤収納スペース５として利用できるだけでなく、分電盤収納スペース５の反対側に位置する備品収納スペース４が、中間間仕切り７で区画されているので、例えば洗面室の備品棚のような奥行きの狭い棚空間として利用できる。
【００２８】
また、分電盤６を間仕切り壁構造１の内部の任意の位置に収納することができるだけでなく、扉５aを閉めると分電盤６を露見しないようにできるので、例えば分電盤収納スペース５の中ほどの位置に設置するなどにより、天井近くの高い位置に設ける従来の場合と比較して、アクセスし易く、操作性を向上させることができる。
【００２９】
このように、間仕切り壁構造１は、分電盤収納スペース５に分電盤６を収納して有効利用できるだけでなく、備品収納スペース４を、奥行きの狭い棚を設けるなどして収納棚として利用できる。
【００３０】
また、分電盤収納スペース５に開閉自在な扉５aを有しているので、分電盤６を露見させることがない。例えば住戸内の廊下側に扉を設けるなどすれば、分電盤６へのアクセスも容易で、露見しないので、外観を良好にすることができる。
【００３１】
このように、間仕切り壁構造1によれば、施工が容易で余った部分を分電盤６や備品の収納スペースとして有効利用できる洗面台ユニットとして新規な多機能住宅設備機器を提供できる。
【００３２】
上述した実施の形態は本発明の好ましい具体例を例示したものに過ぎず、本発明は上述した実施の形態に限定されない。
【００３３】
例えば、本実施形態では、住戸としてマンションを想定しているが、必ずしもマンションに限定されない。戸建て住宅その他の住戸に適用可能である。
【００３４】
また、本実施形態では、第一の領域２として住戸の洗面室を、また、第二の領域３として廊下スペースを想定しているが、必ずしもこのような領域に限定されない。居間、台所、浴室、その他の水回りスペースなど、種々の領域の間仕切りに適用可能である。このように、住戸の領域を第一の領域側と、第二の領域側とに間仕切る間仕切り壁構造であり、備品収納スペースと、分電盤収納スペースと、中間間仕切りとを備えたものであれば、間仕切り壁構造１は、種々の設計変更が可能である。
【００３５】
また、備品収納スペース４と分電盤収納スペース５の下方の第二の備品収納スペース８や、備品収納スペース４の側方の第三の備品収納スペース１０は必須ではなく、省略可能である。
【００３６】
また、備品収納スペース４の扉４ａ、分電盤収納スペース５の扉５ａ、第二の備品収納スペース８の扉８ａ、第三の備品収納スペース１０の扉１０ａなども必須ではなく、省略可能である。
【００３７】
その他、本発明の特許請求の範囲内で種々の設計変更が可能であることはいうまでもない。
【符号の説明】
【００３８】
１    間仕切り壁構造
２    第一の領域
３    第二の領域
４    備品収納スペース
５    分電盤収納スペース
５ａ  扉
６    分電盤
７    中間間仕切り
８    第二の備品収納スペース
９    洗面台
【図１】
2010255255.tif 000003
【図２】
2010255255.tif 000004
【図３】
2010255255.tif 000005